(57)【要約】【課題】展開したカーテン２０が車両の乗員等によって押されて動くことを簡単にかつ確実に阻止できるようにするとともに、カーテン全体を出来る限り早く展開させる。【解決手段】ウインド部周辺の第１辺部にカーテン２０を収容し、ウインド部周辺において第１辺部に繋がる第２辺部に支持部材３６を設け、展開完了状態にあるカーテン２０の第２辺部側の側部に、該カーテン２０の展開先端部がカーテン展開方向に移動することに伴って第１辺部側から支持部材部３６に向かって移動して該支持部材３６に係合する係合部４４を設け、一端部が、カーテン２０の係合部４４ないしその近傍部に結合され、他端部が、該カーテン２０において第２辺部側の側部よりも展開が早い部位に結合された第１横断テザー２２を備えるようにする。【選択図】図１
2008037242.tif 000002
【特許請求の範囲】
【請求項１】
１又は２以上のウインドを有するウインド部に設けられるカーテンエアバッグ装置であって、
ガスが注入される膨張部を有し、上記ウインド部周辺の第１辺部に収容され、上記膨張部の上記ガスの注入による膨張によって上記ウインド部を覆うように展開するカーテンと、
上記カーテンの膨張部に上記ガスを供給するガス供給装置と、
上記ウインド部周辺において上記第１辺部に繋がる第２辺部に設けられた支持部と、
展開完了状態にある上記カーテンの上記第２辺部側の側部に設けられ、該カーテンの収容状態においては上記支持部よりも上記第１辺部側に位置し、上記膨張部の膨張により該カーテンの展開先端部がカーテン展開方向に移動することに伴って上記第１辺部側から上記支持部に向かって移動して該支持部に係合する係合部と、
一端部が、上記カーテンにおける上記係合部ないしその近傍部に結合され、他端部が、該カーテンにおいて上記第２辺部側の側部よりも展開が早い部位に結合された第１横断連結部材とを備えていることを特徴とするカーテンエアバッグ装置。
【請求項２】
請求項１記載のカーテンエアバッグ装置において、
上記カーテンの膨張部が膨張する前の状態で上記第１横断連結部材を弛まないように伸ばしたときに、該カーテンにおける上記第１横断連結部材の両端部結合部位の間の部分が弛んだ状態になっていることを特徴とするカーテンエアバッグ装置。
【請求項３】
請求項１又は２記載のカーテンエアバッグ装置において、
展開完了状態にある上記カーテンにおいて上記第１横断連結部材の他端部結合部位を挟んで第１横断連結部材の一端部結合部位とは反対側に位置する縁部が、該カーテンの展開完了状態で、該縁部の近傍に位置する上記ウインド部周辺に拘束されるように構成されており、
一端部が、上記カーテンにおける上記第１横断連結部材の他端部結合部位ないしその近傍部に結合され、他端部が、該カーテンにおける上記ウインド部周辺に拘束される上記縁部ないしその近傍部に、又は、該縁部を拘束する上記ウインド部周辺に結合された第２横断連結部材を備えていることを特徴とするカーテンエアバッグ装置。
【請求項４】
請求項３記載のカーテンエアバッグ装置において、
上記第１及び第２横断連結部材は、展開完了状態にある上記カーテンの正面視で、該第１横断連結部材の一端部と第２横断連結部材の他端部とを結ぶ直線に略沿っているか、又は、該直線に対して展開先端側に位置していることを特徴とするカーテンエアバッグ装置。
【請求項５】
請求項１〜４のいずれか１つに記載のカーテンエアバッグ装置において、
上記カーテンは、車両サイドにおける複数のウインドを有するウインド部を覆うように展開するものであり、
上記第２辺部は、上記車両の最も後側に位置する後部ピラーにより構成され、
上記第１横断連結部材の他端部は、展開完了状態にある上記カーテンにおいて、車両の最も前側に位置する前部ピラーと上記後部ピラーとの間にある中間ピラーに対応する部分ないしその近傍部に結合されていることを特徴とするカーテンエアバッグ装置。
【発明の詳細な説明】
【技術分野】
【０００１】
本発明は、自動車、電車、船舶、航空機、宇宙船等の乗り物や、家屋、ビル、宇宙ステーション等の建造物のウインド部に設けられ、該ウインド部を瞬時に覆うカーテンエアバッグ装置に関する技術分野に属する。
【背景技術】
【０００２】
従来より、車両のウインド部の上辺部にカーテン状のエアバッグを収容しておき、車両衝突時や横転時に該エアバッグにガスを供給することにより、これを膨張展開させてウインド部を瞬時に覆うようにしたカーテンエアバッグ装置が知られている。この装置の場合、そのカーテン（エアバッグ）にテンションが得られないと、乗員からの衝撃力を受け止めて該乗員を保護することが十分にできなくなる。
【０００３】
そこで、例えば特許文献１に示されているように、エアバッグ及びピラー部間に、ピラー部の長手方向の所定位置に離間して配置された複数のガイド部材と、中間部が上記複数のガイド部材に移動可能に支持されると共に一端部がエアバッグの前端下部或いは後端下部に固定されかつ他端部がエアバッグの前端側所定位置或いは後端側所定位置にそれぞれ固定された可撓性長尺部材（ストラップ）とを含んで構成され、エアバッグの下方展開に伴ってエアバッグの前端下部を車両前方側へ或いは後端下部を車両後方側へ引っ張る張力付与手段を設けるようにすることが提案されている。
【０００４】
また、特許文献２では、カーテン状のエアバッグの展開完了時に下端部となる部位と車体間に、エアバッグの車両略下方への展開力を車両略前後方向の張力に変換する力方向変換手段、つまりエアバッグ側支点と車体側の上方支点及び下方支点とに掛け渡された環状のワイヤを設けることで、エアバッグの後端から車両後方にオーバーハングが少ない車両においても、展開完了時のエアバッグの下縁に沿って必要十分な張力を付与するようにすることが提案されている。
【０００５】
さらに、特許文献３では、ピラーに沿って車体上下方向に延びる棒状のガイド部材を設ける一方、エアバッグの後端部の下側角縁付近にループ状の連結帯を取り付け、この連結帯を上記ガイド部材に掛け回すことにより、エアバッグの後端部をガイド部材に連結して、そのガイド部材に沿ってエアバッグを下方に展開させるようにすることが提案されている。この構成では、展開後に乗員がエアバッグに衝突したときに、エアバッグの下端部がガイド部材に保持されているので、エアバッグに張力が発生して、乗員を保護することが可能になる。
【特許文献１】特開２００２−３４７５６０号公報
【特許文献２】特開２００３−０８１０４８号公報
【特許文献３】特開２００４−０５１０１６号公報
【発明の開示】
【発明が解決しようとする課題】
【０００６】
ところで、上記従来例のようなストラップやワイヤ、連結帯が設けられたカーテン側部は、これらストラップ等に引っ張られる等して展開が阻害されるような力を受けるため、他の部分よりも展開が遅れる傾向にあり、この結果、カーテン全体の展開が遅くなる可能性が高くなる。
【０００７】
本発明は、斯かる点に鑑みてなされたものであり、その目的とするところは、車両等のウインド部に設けられるカーテンエアバッグ装置に対して、その構成に工夫を凝らすことによって、展開したカーテンが乗り物や建造物内部の人や物によって押されて動くことを簡単にかつ確実に阻止できるようにするとともに、カーテン全体を出来る限り早く展開させようとすることにある。
【課題を解決するための手段】
【０００８】
上記の目的を達成するために、この発明では、ウインド部周辺の第１辺部にカーテンを収容し、ウインド部周辺において上記第１辺部に繋がる第２辺部に支持部を設け、展開完了状態にある上記カーテンの上記第２辺部側の側部に、該カーテンの展開先端部がカーテン展開方向に移動することに伴って第１辺部側から上記支持部に向かって移動して該支持部に係合する係合部を設け、一端部が、上記カーテンの上記係合部ないしその近傍部に結合され、他端部が、該カーテンにおいて上記第２辺部側の側部よりも展開が早い部位に結合された第１横断連結部材を備えるようにした。
【０００９】
具体的には、請求項１の発明では、１又は２以上のウインドを有するウインド部に設けられるカーテンエアバッグ装置を対象とする。
【００１０】
そして、ガスが注入される膨張部を有し、上記ウインド部周辺の第１辺部に収容され、上記膨張部の上記ガスの注入による膨張によって上記ウインド部を覆うように展開するカーテンと、上記カーテンの膨張部に上記ガスを供給するガス供給装置と、上記ウインド部周辺において上記第１辺部に繋がる第２辺部に設けられた支持部と、展開完了状態にある上記カーテンの上記第２辺部側の側部に設けられ、該カーテンの収容状態においては上記支持部よりも上記第１辺部側に位置し、上記膨張部の膨張により該カーテンの展開先端部がカーテン展開方向に移動することに伴って上記第１辺部側から上記支持部に向かって移動して該支持部に係合する係合部と、一端部が、上記カーテンにおける上記係合部ないしその近傍部に結合され、他端部が、該カーテンにおいて上記第２辺部側の側部よりも展開が早い部位に結合された第１横断連結部材とを備えているものとする。
【００１１】
上記の構成により、カーテンの膨張部にガスが注入されると、その膨張部の膨張によりカーテンの展開先端部がカーテン展開方向の前側に移動する。これに伴ってカーテンの第２辺部側の側部に設けた係合部は、ウインド部周辺の第１辺部側から、第２辺部に設けた支持部に向かって移動して、該支持部に係合する。ここで、係合部が支持部に確実に係合するようにするには、例えば支持部を構成する支持部材に形成した貫通孔に紐状部材を通し、この紐状部材の一端部をカーテンの第２辺部側の側部における上記係合部となるカーテン展開方向中間部に結合し、他端部をカーテンの第２辺部側の側部における上記中間部よりも展開先端部側に結合しておけばよい。そうすれば、カーテンの展開先端部がカーテン展開方向に移動することに伴って、紐状部材が支持部に対して摺動移動して該紐状部材における支持部との係合位置が上記一端部側へ移動することで、係合部が紐状部材に導かれて支持部に係合するようになる。こうして係合部が支持部に係合すると、カーテンの第２辺部側の側部（係合部）はその支持部に拘束される。そして、カーテンにおいて係合部から該カーテンを横断した位置にある端縁部をも拘束することで、それら両拘束部を繋ぐラインが、張力が生じるテンションラインとなる。このテンションラインが形成されていることで、乗り物や建造物の内部の人や物がカーテンに衝突しても、その衝撃力によりカーテンが押されて動くようなことはなく、該衝撃力を受け止めることができる。
【００１２】
一方、上記係合部が設けられた側部は、例えば上記紐状部材と支持部材との摺動抵抗等の影響により展開が遅くなる傾向にある。しかし、この発明では、第１横断連結部材の一端部がカーテンにおける上記係合部ないしその近傍部に結合され、他端部が第２辺部側の側部よりも展開が早い部位に結合されているので、上記係合部ないしその近傍部が、第１横断連結部材を介して、上記展開が早い部位の方に引っ張られて展開することとなり、第２辺部側の側部の展開遅れが防止される。よって、カーテン全体を早期に展開させることが可能になる。
【００１３】
ここで、ウインド部の形状は、その全体が略三角形状であっても、略四角形状であっても、或いはその他の多角形状であってもよく、また、そのウインド部周辺の各辺部は直線状に限らず、円弧状になっていてもよい。
【００１４】
また、カーテンは、例えば蛇腹状に折り畳んで第１辺部に収容する他、ロール状になるように丸く捲き畳んで第１辺部に収容してもよい。
【００１５】
請求項２の発明では、請求項１の発明において、上記カーテンの膨張部が膨張する前の状態で上記第１横断連結部材を弛まないように伸ばしたときに、該カーテンにおける上記第１横断連結部材の両端部結合部位の間の部分が弛んだ状態になっているものとする。
【００１６】
このことにより、カーテンの展開時に、第１横断連結部材が、カーテンにおける第１横断連結部材の両端部結合部位の間の部分よりも早く張られた状態になるため、カーテンにおける第２辺部側の側部が、第１横断連結部材を介して、該側部よりも展開が早い部位の方に確実に引っ張られる。よって、カーテン全体を早期に展開させることが確実にできる。
【００１７】
請求項３の発明では、請求項１又は２の発明において、展開完了状態にある上記カーテンにおいて上記第１横断連結部材の他端部結合部位を挟んで第１横断連結部材の一端部結合部位とは反対側に位置する縁部が、該カーテンの展開完了状態で、該縁部の近傍に位置する上記ウインド部周辺に拘束されるように構成されており、一端部が、上記カーテンにおける上記第１横断連結部材の他端部結合部位ないしその近傍部に結合され、他端部が、該カーテンにおける上記ウインド部周辺に拘束される上記縁部ないしその近傍部に、又は、該縁部を拘束する上記ウインド部周辺に結合された第２横断連結部材を備えているものとする。
【００１８】
このことで、展開完了状態にあるカーテンの正面視で、係合部とカーテンにおけるウインド部周辺に拘束される縁部とを結ぶ直線（第１横断連結部材の一端部と第２横断連結部材の他端部とを結ぶ直線と略一致）がテンションラインとなり、両横断連結部材を、このテンションラインに略沿うようにするか、又は、そのテンションラインよりも展開先端側に配置することで、人や物がカーテンに衝突しても、その衝撃力をより一層確実に受け止めることができるようになる。
【００１９】
請求項４の発明では、請求項３の発明において、上記第１及び第２横断連結部材は、展開完了状態にある上記カーテンの正面視で、該第１横断連結部材の一端部と第２横断連結部材の他端部とを結ぶ直線に略沿っているか、又は、該直線に対して展開先端側に位置しているものとする。
【００２０】
こうすることで、第１横断連結部材の他端部が、カーテンにおける第２辺部側の側部をより早く展開するように引っ張ることが可能な展開先端側に結合されることとなり、カーテンにおける第２辺部側の側部をより一層早期に展開させることができる。また、人や物がカーテンにおけるテンションラインよりも展開先端側に衝突したとしても、第１及び第２横断連結部材により、その衝撃力を受け止めることができる。
【００２１】
請求項５の発明では、請求項１〜４のいずれか１つの発明において、上記カーテンは、車両サイドにおける複数のウインドを有するウインド部を覆うように展開するものであり、上記第２辺部は、上記車両の最も後側に位置する後部ピラーにより構成され、上記第１横断連結部材の他端部は、展開完了状態にある上記カーテンにおいて、車両の最も前側に位置する前部ピラーと上記後部ピラーとの間にある中間ピラーに対応する部分ないしその近傍部に結合されているものとする。
【００２２】
このことにより、車両が衝突したり横転したりしたとしても、車両の乗員を適切に保護することができる。また、乗員は、カーテンの展開後に、テンションラインよりも展開先端側部分を車両内側にめくることができ、こうしてウインドから車外へ脱出することができるようになる。ここで、カーテンをより大きくめくることができるのは、第１横断連結部材の両端部結合部位の間の部分であるが、この間の部分がウインドに対応する部分であれば、車外への脱出が容易になる。そこで、この発明では、第１横断連結部材の他端部結合部位を中間ピラーに対応する部分ないしその近傍部に位置させて、第１横断連結部材の両端部結合部位の間の部分がウインドに対応する部分となるようにしており、これにより、車両の乗員を適切に保護しつつ、カーテンの展開後に乗員がウインドから車外へ容易に脱出できるようにすることができる。
【発明の効果】
【００２３】
以上説明したように、本発明のカーテンエアバッグ装置によると、ウインド部周辺の第１辺部にカーテンを収容し、ウインド部周辺において上記第１辺部に繋がる第２辺部に支持部を設け、展開完了状態にある上記カーテンの上記第２辺部側の側部に、該カーテンの展開先端部がカーテン展開方向に移動することに伴って第１辺部側から上記支持部に向かって移動して該支持部に係合する係合部を設け、一端部が、上記カーテンの上記係合部ないしその近傍部に結合され、他端部が、該カーテンにおいて上記第２辺部側の側部よりも展開が早い部位に結合された第１横断連結部材を備えるようにしたことにより、簡単な構成で、乗り物や建造物内部の人や物によってカーテンが押されて動くことを確実に阻止することができるとともに、カーテン全体を早期に展開させることができる。
【発明を実施するための最良の形態】
【００２４】
以下、本発明の実施形態を図面に基づいて詳細に説明する。
【００２５】
（実施形態１）
図１は、本発明の実施形態１に係るカーテンエアバッグ装置を示し、このカーテンエアバッグ装置は、車両（自動車）のサイドのウインド部（以下、サイドウインド部という）を覆うように構成されたものである。同図において、１は車体、２は運転席シート５の横のドア６に形成された第１ウインド（フロントウインド）、３は前側後席シート７（運転席シート５の直ぐ後に配設された後席シート）の横のサイドドア１６に設けられた第２ウインド（リヤウインド）、４は後側後席シート８（車室内の最も後側に位置する後席シート）の横に設けられた第３ウインド（クォータウインド）である。１１はドア６の前側に配置された第１ピラー（フロントピラー）、１２はドア６の後側の第２ピラー（前部センタピラー）、１３は第２ウインド３と第３ウインド４との間に設けられた第３ピラー（後部センタピラー）、１４は第３ウインド４の後側の第４ピラー（クォータピラー）である。
【００２６】
上記各乗員席シート５，７，８には、乗員９を保護するシートベルト１５がそれぞれ設けられている。また、各乗員席シート５，７，８は、各々、シートクッション５ａ，７ａ，８ａとシートバック５ｂ，７ｂ，８ｂとを有している。
【００２７】
本実施形態では、車体１の上記３つのウインド２〜４が前後に並設された部分を１つのサイドウインド部と捉えている。すなわち、このサイドウインド部は、該サイドウインド部周辺が、上辺部、下辺部、第１側辺部（車両前側の側辺部）及び第２側辺部（車両後側の側辺部）からなる略四角形状に、より具体的には上辺部が下辺部よりも短い略台形状になっている。上記上辺部は車体１のルーフサイドレール３２によって構成され、上記下辺部はドア６，１６及び車体１のベルトラインによって構成され、上記第１側辺部は第１ピラー１１で構成され、上記第２側辺部は第４ピラー１４で構成されている。上記上辺部は本発明の第１辺部に相当し、上記第２側辺部は、第１辺部に繋がる第２辺部に相当する。また、上記第１ピラー１１は、車両の最も前側に位置する前部ピラーに相当し、第４ピラー１４は、車両の最も後側に位置する後部ピラーに相当し、第２及び第３ピラー１２，１３は、前部ピラーと後部ピラーとの間にある中間ピラーに相当する。
【００２８】
上記カーテンエアバッグ装置は、ガスが注入されて膨張する膨張部を有するカーテン２０と、この膨張部にガスを供給するガス供給装置としてのインフレータ２１と、テープ状の第１及び第２横断テザー２２，２３（第１及び第２横断連結部材）と、２つの前端支持テザー３８，３８と、紐状部材３９とを備えている。本実施形態では、カーテン２０の略全体が上記膨張部とされているが、上記各乗員席シート５，７，８に着座している乗員９に対応する部分のみが膨張部となるように構成してもよい。
【００２９】
上記カーテン２０は蛇腹状に折り畳まれて（ロール状に巻き畳んでもよい）、第１及び第２横断テザー２２，２３と共に、サイドウインド部周辺の上辺部ないし第１側辺部の一部に収容されている。この収容状態にあるカーテン２０の上記第２側辺部側（車両後側）の端部（展開完了状態にあるカーテン２０における第２側辺部側の側部に対応する部分）は、上記上辺部における第２側辺部側の端部近傍に位置している。このカーテン２０は、上記膨張部の上記ガスの注入による膨張によって上記サイドウインド部及び該サイドウインド部周辺の下辺部を覆うように展開する。つまり、カーテン２０は、サイドウインド部周辺の上辺部から、カーテン展開方向の前側である下側に展開して、その展開先端部が下辺部に達する（下辺部のサイドウインド部側縁を僅かに超える）ようになされている。尚、カーテン２０は、折り畳まれた状態が維持されるように、展開時に破れ易い紙等のシート状部材（図示せず）で覆われている。
【００３０】
上記インフレータ２１は、車両が所定の状態になったときに作動してガスを発生して供給するものであって、カーテン２０の膨張部上部における車両前後方向（上辺部が延びる方向）の略中央部にパイプ２８によって繋がっている。上記所定の状態とは、例えば車両の衝突（特に側突）が予知されたとき、該車両の衝突が検出されたとき、又は該車両の横転が判定されたときであり、当該車両にはそれらの状態を検知するためのセンサと、該センサの出力を受けてそれら状態の発生を判定し、インフレータ２１を作動させるコントローラとが設けられている。
【００３１】
図２に示すように、上記カーテン２０の上端縁は、ピン状の固定用部材５５によって、該カーテン２０の上記第２側辺部側の端部を含めて複数箇所で、アウタパネル３２ａ及びインナパネル３２ｂからなるルーフサイドレール３２の該インナパネル３２ｂに固定されている。そして、折り畳まれたカーテン２０の車両内側は、ルーフトリム３４によって覆われている。このルーフトリム３４は、その側縁がサイドライニング３５に脱離可能に係合していて、カーテン２０の膨張展開力によってサイドライニング３５から外れ、サイドライニング３５との間に隙間を形成し、カーテン２０の車室内への展開を許容するようになっている。すなわち、カーテン２０は、ルーフトリム３４とサイドライニング３５との隙間から車室内に展開する。このサイドライニング３５は、ルーフサイドレール３２のフランジ部に保持されている。尚、サイドライニング３５は、ウェザーストリップであってもよい。また、上記ルーフトリム３４は、第１〜第４ピラー１１〜１４の箇所では、各ピラーの車室側の面を構成するピラートリム（図３〜図６では、第４ピラーのピラートリムの符号を５６としている）と脱離可能に係合しており、カーテン２０の膨張展開力によってピラートリムから外れるようになっている。尚、上記第１〜第４ピラー１１〜１４の各ピラートリムは、ルーフトリム３４（発泡性ウレタン樹脂等の軟質材）よりも硬質の合成樹脂（例えばポリプロピレンやサーモプラスチックオレフィン（ＴＰＯ）等）からなっている。
【００３２】
上記展開完了状態にあるカーテン２０の車両前側端部におけるカーテン展開方向（上下方向）中間部の下寄り部分及び下端部の２箇所には、上記２つの前端支持テザー３８，３８の一端部がそれぞれ結合されている。これら前端支持テザー３８，３８の他端部は共に、第１ピラー１１の下端部（ルーフサイドレール３２から離間した部位）に設けた連結部３７に回動可能に連結されている。そして、両前端支持テザー３８，３８は、カーテン２０の収容状態では第１側辺部に収容されており、カーテン２０が展開すると、それに伴って連結部３７の周りに回動しながら、カーテン２０の車両前側端部を、その展開が安定するように支持する。カーテン２０の展開完了時には、カーテン２０の車両前側端部が両前端支持テザー３８，３８を介して連結部３７に固定されて拘束されることになる。上記両前端支持テザー３８，３８のうち上側のものは、後述する、カーテン２０の上記第２側辺部側（車両後側）の側部の支持（拘束）と共に、カーテン２０にテンションライン４０を形成する役割を果たす。
【００３３】
図３〜図５に詳細に示すように、上記サイドウインド部周辺において上辺部に繋がる第２側辺部（第４ピラー１４）には、支持部材３６が設けられている。ここで、上辺部のサイドウインド部側縁と第２側辺部のサイドウインド部側縁との間のサイドウインド部を挟む角度αは、４５°〜１５０°の範囲にあることが好ましい。上記支持部材３６は、第４ピラー１４のインナパネル１４ｂ（第４ピラー１４を構成する車体）における上辺部から離間した部位に配置されている。この支持部材３６の上下方向両端部が、ボルト５３によりインナパネル１４ｂに取付固定されており、支持部材３６は、第４ピラー１４のインナパネル１４ｂとピラートリム５６との間に配置されていることになる。本実施形態では、支持部材３６は第２側辺部においてサイドウインド部側縁（第３ウインド４側縁）の近傍位置に配置されている。尚、図５中、１４ａは第４ピラー１４のアウタパネルであり、１４ｃは第４ピラー１４のレインフォースメントである。また、５１はバックドアであり、５４はバックドア５１と車体１との間に設けられたウェザーストリップである。
【００３４】
上記支持部材３６の上下方向中央部には貫通孔３６ａが形成されており、この貫通孔３６ａには紐状部材３９が挿通されている。この紐状部材３９は、上記カーテン２０に設けられたものであって、カーテン２０の一部を構成するものである。
【００３５】
上記紐状部材３９の一端部は、上記展開完了状態にあるカーテン２０における上記第２側辺部側（車両後側）の側部のカーテン展開方向（上下方向）中間部に結合されている。一方、紐状部材３９の他端部は、上記カーテン２０における上記第２側辺部側の側部の上記一端部結合部位よりも展開先端部側（本実施形態では、第２側辺部側の側部の展開先端部２０ｃ）に結合されている。そして、カーテン２０の収容状態においては、紐状部材３９の両端部が上記上辺部に、つまり支持部材３６よりも上辺部側に位置しており、紐状部材３９の中間部（本実施形態では、長さ方向略中央部）が支持部材３６の貫通孔３６ａと係合した状態にある。また、紐状部材３９は、カーテン２０の収容状態において、支持部材３６と同様に、第４ピラー１４のインナパネル１４ｂとピラートリム５６との間に配置されている。つまり、ピラートリム５６が、カーテン２０の収容状態で支持部材３６及び紐状部材３９を覆っている。
【００３６】
上記紐状部材３９において貫通孔３６ａとの係合部分と上記一端部との間の部分は、貫通孔３６ａのサイドウインド部側（図３の左側）の開口から出た後に直ぐに上側に曲がって、そのまま第２側辺部を上側へ上昇して、上辺部に収容されたカーテン２０の車両後側の端部まで延びている。一方、紐状部材３９において貫通孔３６ａとの係合部分と上記他端部との間の部分は、貫通孔３６ａの反サイドウインド部側（図３の右側）の開口から出た後、支持部材３６の貫通孔３６ａが形成された突起部分の下側を回ってサイドウインド部側に達した後に第２側辺部を上側へ上昇して、上辺部に収容されたカーテン２０の車両後側の端部まで延びている。このように紐状部材３９における上記係合部分の他端部側が、支持部材３６の貫通孔３６ａが形成された突起部分の下側を回った後に上昇するようにしているのは、後述の如くカーテン２０が展開して、カーテン２０の第２側辺部側の側部の展開先端部２０ｃ（紐状部材３９の先端部）が支持部材３６の高さ位置よりも下側に位置するまでの間に、紐状部材３９が上記突起部分に引っ掛からないようにして、カーテン２０の展開性を向上させるためである。
【００３７】
カーテン２０が展開すると、その展開先端部がカーテン展開方向の前側である下側に移動し、これに伴って紐状部材３９の上記他端部（以下、先端部という）も下側に移動する。このとき、図５に二点鎖線で示すように、ピラートリム５６の第３ウインド４側縁部が、紐状部材３９の先端部によって車両内側（車室側）に変形させられ、これにより、紐状部材３９の先端部ないしその近傍部がピラートリム５６と第３ウインド４との隙間から車室内に出てくる。すなわち、インフレータ２１がカーテン２０の車両前後方向略中央部に接続されているので、カーテン２０は車両前後方向略中央部から展開し始め、後述するように、カーテン２０における第２側辺部側の側部が、第１横断テザー２２を介して、先に展開した側、つまり車両前側（車両前後方向中央側）でかつ下側へ引っ張られる。この結果、カーテン２０における第２側辺部側（車両後側）の側部が、収容状態において上辺部の第２側辺部近傍に位置していても、カーテン２０の展開初期に、該側部の展開先端部２０ｃが第２側辺部から離れる側である車両前側で、かつ下側へ移動し、この移動に伴って該展開先端部２０ｃに結合された紐状部材３９の他端部ないしその近傍部がサイドウインド部側へ引き出されることになる。
【００３８】
ここで、図５に示すように、ピラートリム５６の第３ウインド４側縁部は、収容状態にあるカーテン２０の車両外側縁における車両後側端の近傍部よりも車両外側に位置しており、平面視で該ピラートリム５６の第３ウインド４側縁部と該カーテン２０の車両外側縁における車両後側端の近傍部との間の角度θは、鋭角とされている。このことと、上記角度αの好ましい範囲とにより、ピラートリム５６の第３ウインド４側縁部が車室内側に変形し易くなって紐状部材３９の先端部が車室内に出易くなる。
【００３９】
そして、カーテン２０の第２側辺部側の側部の展開先端部２０ｃ（紐状部材３９の先端部）が支持部材３６の高さ位置よりも下側に位置する状態になると、上記展開先端部２０ｃの更なる下側への移動に伴って、紐状部材３９が支持部材３６の貫通孔３６ａに対して摺動移動して該紐状部材３９における貫通孔３６ａとの係合位置が上記一端部（以下、基端部という）側へ移動する。これにより、紐状部材３９の基端部ないしカーテン２０の該基端部結合部位が支持部材３６に向かって移動して、やがて支持部材３６の貫通孔３６ａに入り込もうとするが、入り込めずに該貫通孔３６ａの開口周縁部に当接係合した状態となる（図６参照）。尚、カーテン２０の上記基端部結合部位も、上記先端部結合部位と同様に、車両前側に引っ張られるため、紐状部材３９の基端部もサイドウインド部側に引き出されるが、紐状部材３９の基端部ないしカーテン２０の該基端部結合部位は、支持部材３６の貫通孔３６ａとの係合の直前に、ピラートリム５６と第３ウインド４との隙間から第４ピラー１４内に入り込んで支持部材３６に係合する。
【００４０】
上記の紐状部材３９の基端部ないしカーテン２０の該基端部結合部位と支持部材３６の貫通孔３６ａとの係合により、カーテン２０の展開完了状態で、該カーテン２０の基端部結合部位ないしその近傍が支持部材３６に拘束されることになる。このことで、紐状部材３９の基端部ないしカーテン２０の該基端部結合部位は、支持部材３６に係合する係合部４４（図１及び図６参照）を構成し、支持部材３６（特に貫通孔３６ａ）は、支持部を構成することになる。
【００４１】
図６に示すように、上記カーテン２０が完全に展開すると、該カーテン２０の展開先端部が下辺部に達し、カーテン２０がサイドウインド部のカーテン展開方向（上下方向）全体を覆う。このとき、上記紐状部材３９は、略上下方向に略直線状に延びた状態にある。また、係合部４４は、上記の如く支持部材３６と係合している。
【００４２】
一方、カーテン２０の車両前側端部は、上記２つの前端支持テザー３８，３８によって連結部３７に支持され拘束される。この支持及び上記係合部４４の支持部材３６との係合により、展開完了状態にあるカーテン２０の正面視（車両側面視）で、該係合部４４と連結部３７（又は係合部４４とカーテン２０における上側の前端支持テザー３８の結合部位）とを結ぶ直線がカーテン２０のテンションライン４０となり、このテンションライン４０上でカーテン２０に外力が加わっても、カーテン２０は煽られないことになる。このように、ルーフサイドレール３２のインナパネル３２ｂに固定されているカーテン基端部（上端部）よりも下側に離れた位置で、該カーテン２０にテンションライン４０が形成されるから、乗員９がウインド２〜４から飛び出すことを防止する上で有利になる。
【００４３】
本実施形態では、乗員席シート５，７，８に着座している乗員９が、アメリカ成人男性の平均の体格を有する者として、その乗員９の頭部の重心の高さ位置が、上記テンションライン４０よりも高くなるようにしている。このテンションライン４０の高さ位置は、本実施形態では、車両後側ほど高くなるので、車両後側の乗員席シートほど着座位置を高くしている。これにより、乗員９の頭部はカーテン２０により確実に保護される。尚、アメリカ成人男性の平均体格よりも小柄な乗員であっても、展開完了状態にあるカーテン２０の下端が、サイドウインド部周辺の下辺部のサイドウインド部側縁よりも下側に位置することで、カーテン２０には上端から下端に亘って高いテンションが発生するために、確実に保護することができる。
【００４４】
また、本実施形態では、展開完了状態にあるカーテン２０の裏面（車両外側の面）に、該カーテン２０を横断するように第１及び第２横断テザー２２，２３が設けられている。これら両横断テザー２２，２３は、上記テンションライン４０上に設けられている。つまり、第１横断テザー２２の一端部（車両後側端部）が、展開完了状態にあるカーテン２０における上記係合部４４ないしその近傍部の裏面に結合され、第１横断テザー２２の他端部（車両前側端部）が、展開完了状態にあるカーテン２０において上記テンションライン４０上でかつ第２ピラー１２に対応する部分の裏面に結合されている。また、第２横断テザー２２の一端部（車両後側端部）が、上記カーテン２０における上記第１横断テザー２２の他端部結合部位に結合され、第２横断テザー２２の他端部（車両前側端部）が、上記カーテン２０における上記上側の前端支持テザー３８の結合部位の近傍部（テンションライン４０上）の裏面に結合されている。ここで、カーテン２０の車両前側端部は、展開完了状態にあるカーテン２０において第１横断テザー２２の他端部結合部位を挟んで第１横断テザー２２の一端部結合部位とは反対側に位置する縁部に相当し、この縁部が、該縁部の近傍に位置する第１ピラー１１（連結部３７）に拘束されるので、第２横断テザー２２の他端部は、第１ピラー１１に拘束される上記縁部の近傍部に結合されていることになる。これにより、第１及び第２横断テザー２２，２３は、展開完了状態にあるカーテン２２の正面視（車両側面視）で、第１横断テザー２２の一端部と第２横断テザー２３の他端部とを結ぶ直線（テンションライン４０と一致する）に略沿っていることになる。
【００４５】
尚、本実施形態では、第２横断テザー２３は、第１横断テザー２２と一体形成されたものであるが、第１横断テザー２２とは別体のものとしてもよい。この場合、第２横断テザー２３の一端部を、カーテン２０における第１横断テザー２２の他端部結合部位の近傍部に結合するようにしてもよい。また、第２横断テザー２３が第１横断テザー２２と一体のものであるか別体のものであるかに関係なく、第２横断テザー２３の他端部を、カーテン２０における上記上側の前端支持テザー３８の結合部位（カーテン２０において第１横断テザー２２の他端部結合部位を挟んで第１横断テザー２２の一端部とは反対側に位置する縁部）に結合してもよく、各前端支持テザー３８が結合されている連結部３７に結合してもよい。
【００４６】
上記のように第１及び第２横断テザー２２，２３をテンションライン４０上に設けることで、カーテン２０が展開したときに、テンションライン４０の形成に加えて、該テンションライン４０に沿って第１及び第２横断テザー２２，２３が張られ、このことで、カーテン２０の煽りをより一層確実に防止する。
【００４７】
上記第１横断テザー２２は、カーテン２０の煽りを防止する役割に加えて、カーテン２０における第２側辺部側の側部の展開を早くする役割をも有している。すなわち、カーテン２０の展開時には、上記の如く紐状部材３９の先端部ないしその近傍部が、ピラートリム５６を変形させてサイドウインド部側へ引き出され、また、紐状部材３９が支持部材３６の貫通孔３６ａに対して摺動するときの摺動抵抗等の影響により、カーテン２０における第２側辺部側の側部の展開が遅くなる傾向にある。しかし、本実施形態では、第１横断テザー２２の一端部が、カーテン２０における上記係合部４４ないしその近傍部に結合され、第１横断テザー２２の他端部が、展開完了状態にあるカーテン２０の第２ピラー１２の近傍部位に結合されているので、カーテン２０における第２側辺部側の側部の展開を早めることができる。つまり、カーテン２０における第１横断テザー２２の他端部結合部位は、インフレータ２１が接続されている車両前後方向略中央部にあって、上記第２辺部側の側部よりも展開が早い部位であり、第１横断テザー２２は、その展開が早い部位とカーテン２０における係合部４４ないしその近傍部とを連結している。これにより、カーテン２０における係合部４４ないしその近傍部、つまり第２辺部側の側部が、第１横断テザー２２を介して、先に展開した上記他端部結合部位の側である車両前側でかつ下側へ引っ張られて展開することとなり、紐状部材３９の先端部ないしその近傍部をサイドウインド部側へ引き出しつつ、第２辺部側の側部が展開方向前側（下側）へ素早く展開する。よって、第２側辺部側の側部の展開遅れが防止されて、カーテン２０の全体を早期に展開させることが可能になる。
【００４８】
本実施形態では、図７（ａ）に示すように、カーテン２０の膨張部が膨張する前の状態で上記第１横断テザー２２を弛まないように伸ばしたときに、該カーテン２０における第１横断テザー２２の両端部結合部位の間の部分が弛んだ状態になるようにしており、また、第１横断テザー２２は、カーテン２０の裏面のみに縫製結合されている。これにより、カーテン２０の展開時（図７（ｂ）参照）に、カーテン２０の膨張が第１横断テザー２２との結合により大幅に抑制されるようなことがなく、また、第１横断テザー２２が、カーテン２０における第１横断テザー２２の両端部結合部位の間の部分よりも早く張られた状態になるため、カーテン２０における第２側辺部側の側部が、第１横断テザー２２を介して、車両前側でかつ下側に確実に引っ張られることになる。尚、図７では、カーテン２０における第１横断テザー２２の両端部結合部位の間の表裏両面を互いに縫製して、カーテン２０の展開時における車幅方向の厚みを調整する両面縫製部を設けたが、この両面縫製部はなくてもよい。
【００４９】
また、本実施形態では、展開完了状態にあるカーテン２０における第１横断テザー２２の他端部結合部位が、第２ピラー１２の近傍に位置しているので、カーテンの展開完了後に、乗員９がテンションライン４０よりも展開先端側部分を車両内側にめくり上げてウインド２〜４のいずれかから車外へ脱出することが容易となる。すなわち、カーテン２０をより大きくめくることができるのは、第１横断テザー２２の両端部結合部位の間及び第２横断テザー２２の両端部結合部位の間の部分であり、この部分がウインド２〜４に対応する部分であれば、車外への脱出が容易になる。そして、カーテン２０における第１横断テザー２２の他端部結合部位が第２ピラー１２の近傍にあれば、第１横断テザー２２の両端部結合部位の間の部分がウインド３，４に対応する部分となり、第２横断テザー２２の両端部結合部位の間の部分がウインド２に対応する部分となって、カーテン２０の展開後における乗員９の車外への脱出が容易となる。
【００５０】
さらに、第１及び第２横断テザー２２，２３が、展開完了状態にあるカーテン２０の裏面（車両外側の面）に結合されているので、乗員９と第１及び第２横断テザー２２，２３との干渉を防止して乗員９の保護性を向上しつつ、乗員９の車外への脱出をより確実に行えるようにすることができる。
【００５１】
尚、上記実施形態１では、カーテン２０における第１横断テザー２２の他端部結合部位を、第２ピラー１２に対応する部分に位置させたが、第２ピラー１２に対応する部分の近傍部に位置させてもよく、第３ピラー１２に対応する部分ないしその近傍部に位置させてもよい。このように、第１横断テザー２２の他端部結合部位は、乗員９の車外への脱出容易性の観点から、第２ピラー１２又は第３ピラー１２に対応する部分ないしその近傍部に位置することが好ましいが、これに限らず、カーテン２０において第２辺部側の側部よりも展開が早い部位であれば、どこであってもよい。但し、その展開が早い部位としては、インフレータ２１（パイプ２８）が接続された部分に近くかつ展開先端に近いほど好ましい。
【００５２】
また、カーテン２０の展開初期から、該カーテン２０の第２辺部側の側部を確実に引っ張るためには、カーテン２０おけるインフレータ２１の接続部を、カーテン２０の展開完了状態で係合部４４から所定距離以上離れた部位（カーテン２０の展開初期にはガスを第２辺部側の側部まで供給することが殆どできない部位）とし、該部位ないしその近傍部に第１横断テザー２２の他端部を結合するようにすることが好ましい。
【００５３】
（実施形態２）
図８は、本発明の実施形態２を示し（尚、図１と同じ部分については同じ符号を付してその詳細な説明は省略する）、カーテン２０における第１横断テザー２２の他端部結合部位（第２横断テザー２３の一端部結合部位でもある）の位置を、上記実施形態１とは異ならせたものである。
【００５４】
すなわち、本実施形態では、展開完了状態にあるカーテン２０における第１横断テザー２２の他端部結合部位（第２横断テザー２３の一端部結合部位でもある）の位置が、テンションライン４０（第１横断テザー２２の一端部と第２横断テザー２３の他端部とを結ぶ直線）よりも展開先端側にあり、これにより、第１及び第２横断テザー２２，２３は、展開完了状態にあるカーテン２０の正面視で、テンションライン４０に対して展開先端側に位置することになる。具体的には、カーテン２０における第１横断テザー２２の他端部結合部位は、インフレータ２１が接続されている車両前後方向略中央部（上記実施形態１よりも中央寄りであってインフレータ２１の接続部に近い）の展開先端近傍に位置している。尚、本実施形態では、第１及び第２横断テザー２２，２３は、互いに別体のものとしているが、一体形成することも可能である。
【００５５】
したがって、本実施形態では、第１横断テザー２２の他端部が、カーテン２０における第２側辺部側の側部を、上記実施形態１よりも早く展開するように引っ張ることが可能な展開先端側に結合されているので、該側部をより一層早期に展開させることができるようになる。
【００５６】
また、第１及び第２横断テザー２２，２３がテンションライン４０よりも展開先端側に位置しているので、乗員９がカーテン２０におけるテンションライン４０よりも展開先端側に衝突したとしても、両横断テザー２２，２３によって、カーテン２０が煽られることなく、その衝撃力を受け止めることができるようになる。
【００５７】
（実施形態３）
図９は、本発明の実施形態３を示し（尚、図３と同じ部分については同じ符号を付してその詳細な説明は省略する）、カーテン２０における第２側辺部側の側部を第２側辺部に収容するようにしたものである。
【００５８】
すなわち、本実施形態では、展開完了状態にあるカーテン２０における第２側辺部側の側部は、図７に二点鎖線で示すように、該カーテン２０の収容状態において第２側辺部に収容される第２側辺部収容部２０ａ（第２辺部収容部）とされている。この第２側辺部収容部２０ａは、固定用部材５５によって第４ピラー１４のインナパネル１４ｂに固定されてはいない。そして、第２側辺部収容部２０ａの展開が、カーテン２０における上辺部に収容される上辺部収容部２０ｂ（第１辺部収容部）よりも遅くなるようになされている。具体的には、上記実施形態１で説明したように、インフレータ２１がカーテン２０の車両前後方向略中央部に接続されていることに加えて、第２側辺部収容部２０ａへのガスの流動を制限する制限部６１が設けられている。この制限部６１は、カーテン２０の表面及び裏面同士を縫い合わせてなるものであって、第２側辺部収容部２０ａの展開を上記上辺部収容部２０ｂよりも、より一層遅くなるようにする。尚、その他の構成は上記実施形態１と同じである。
【００５９】
本実施形態では、カーテン２０における第２側辺部側の側部（第２側辺部収容部２０ａ）を第２側辺部からピラートリム５６を変形させてサイドウインド部側へ引き出す必要があり、これにより、該側部の展開がより一層遅れることになる。しかし、上記のように制限部６１を設けることで、第２側辺部収容部２０ａの展開が上辺部収容部２０ｂに対して遅くなる。つまり、カーテン２０における第１テザー２２の他端部結合部位の展開が一端部結合部位の展開よりもより一層早くなり、カーテン２０の展開初期に、第２側辺部収容部２０ａが、先に展開した上記他端部結合部位の方へ大きな力で引っ張られる。よって、カーテン２０が第２側辺部収容部２０ａを有していても、上記実施形態１と同様に、カーテン２０の全体を早期に展開させることができる。
【００６０】
（実施形態４）
図１０は、本発明の実施形態４を示し、支持部材３６の構成を上記実施形態１とは異ならせ、他の構成を実施形態１と同じにしたものである。すなわち、本実施形態では、支持部を構成する支持部材３６が、略車幅方向に延びるピン状をなすものであって、第４ピラー１４のインナパネル１４ｂに車両内側に突出するように取付固定されている。この支持部材３６は、上記実施形態１のものと同様の高さ位置に設けられている。そして、カーテン２０の収容状態では、紐状部材３９の両端部が支持部材３６よりも上辺部側に位置しており、紐状部材３９の長さ方向略中央部が支持部材３６の下側部分に巻き掛けられて係合した状態となっている。
【００６１】
カーテン２０が展開すると、上記実施形態１と同様に、カーテン２０における第２側辺部側の側部が車両前側でかつ下側へ引っ張られて、紐状部材３９の他端部ないしその近傍部がサイドウインド部側へ引き出される。また、紐状部材３９が支持部材３６に対して摺動移動して該紐状部材３９における支持部材３６との係合位置が基端部側へ移動して、やがて、係合部４４が支持部材３６に当接係合した状態となって拘束される。この結果、上記実施形態１と同様に、係合部４４と連結部３７とを結ぶテンションライン４０が形成されて、該テンションライン４０に沿って第１及び第２横断テザー２２，２３が張られることになる（図１０では、テンションライン４０及び第２横断テザー２３は図示していない）。したがって、本実施形態においても、上記実施形態１と同様の作用効果が得られる。
【００６２】
（実施形態５）
図１１は、本発明の実施形態５を示し、カーテン２０における第２側辺部側の側部を展開時に案内するガイド部材６５を設けたものである。
【００６３】
すなわち、本実施形態では、第４ピラー１４のインナパネル１４ｂにガイド部材６５が設けられている。このガイド部材６５には、第２側辺部が延びる方向（本実施形態では、上下方向）に延びるガイドバー６５ａが設けられている。一方、カーテン２０における第２側辺部側の側部のカーテン展開方向（上下方向）中間部には、カーテン２０の一部を構成するガイド帯６６の一端部が結合されている。このガイド帯６６の他端部は、上記ガイドバー６５ａに掛け回されて係合されるように環状に形成されている。尚、上記ガイド部材６５のガイドバー６５ａの上端部は、上辺部において、収容されたカーテン２０と略同じ高さ位置にあり、ガイドバー６５ａの下端部は、第３ウインド４の上下方向中間位置にある。
【００６４】
そして、上記ガイド帯６６は、カーテン２０の収容状態で、ガイドバー６５ａの上端部に係合しており、カーテン２０の展開時に、カーテン２０における第２側辺部側の側部を上下方向に案内しながら下側へ移動し、展開完了状態で、ガイドバー６５ａの下端部に係合して上記側部を支持し拘束する。このことで、本実施形態では、カーテン２０における第２側辺部側の側部に設けたガイド帯６６が係合部４４を構成し、ガイドバー６５ａの下端部が支持部を構成することになる。
【００６５】
本実施形態においても、第１横断テザー２２の一端部は、カーテン２０における上記ガイド帯６６の結合部位の近傍部（係合部４４の近傍部）に結合され、他端部は、インフレータ２１が接続されている車両前後方向略中央部に結合される。また、第２横断テザー２３（図１１では、図示せず）の一端部が、カーテン２０における第１横断テザー２２の他端部結合部位に結合され、第２横断テザー２３の他端部が、カーテン２０において上側の前端支持テザー３８の結合部位の近傍部に結合される。
【００６６】
そして、上記第１横断テザー２２によって、カーテン２０の展開初期に、ガイド帯６６の一端部がピラートリム５６を変形させてサイドウインド部側へ引き出されることになる。このように、本実施形態においても、ガイド帯６６の一端部をサイドウインド部側へ引き出す必要があるとともに、ガイド帯６６がガイドバー６５ａに対して下側へ移動する際の摺動抵抗等の影響により、カーテン２０における第２側辺部側の側部の展開が遅くなる傾向にあるが、第１横断テザー２２によって該側部が車両前側でかつ下側へ引っ張られて、上記第２側辺部側の側部の展開の遅れを防止することができる。
【００６７】
尚、上記実施形態１〜５では、カーテン２０に第２横断テザー２３を設けたが、この第２横断テザー２３は必ずしも必要なものではなく、テンションライン４０が形成されていることで、乗員９を十分に保護することができる。
【００６８】
（実施形態６）
図１２は、本発明の実施形態６を示し、カーテンエアバッグ装置を、車両のバックドア５１に形成されたバックウインド部に設けるようにしたものである。このバックウインド部は、本実施形態では１つのバックウインド５８を有していて、該バックウインド部周辺が上辺部、下辺部、第１側辺部（車両左側の側辺部）及び第２側辺部（車両右側の側辺部）からなる略四角形状をなす、より具体的には車幅方向が上下方向よりも長い略長方形状（厳密には上辺部が下辺部よりも短い略台形状）をなしている。このバックウインド部周辺の下辺部は、後側後席シート８のシートバック８ａの上端よりも下側に位置している。そして、このカーテンエアバッグ装置は、上記実施形態１と同様に、膨張部を有しかつ該膨張部のガスの注入による膨張によって上記バックウインド部を覆うように展開するカーテン２０と、このカーテン２０の膨張部上部における車幅方向（上辺部が延びる方向）の略中央部にパイプ２８によって接続され、該膨張部にガスを供給するインフレータ２１とを備えている。本実施形態においても、上記実施形態１と同様に、カーテン２０の略全体が上記膨張部とされているが、後側後席シート８の車幅方向における乗員着座位置に対応する部分のみが膨張部となるように構成してもよい。
【００６９】
上記カーテン２０は、バックウインド部周辺の上辺部に蛇腹状に折り畳まれた状態（ロール状に巻き畳んだ状態であってもよい）で収容されている。このカーテン２０が収容される上辺部としては、車体１のリヤヘッダー５９であってもよく、バックドア５１内におけるバックウインド５８の上側部分であってもよい。本実施形態では、カーテン２０は、固定用部材５５によってリヤヘッダー５９の車体部材に固定して該リヤヘッダー５９に収容している。この収容状態にあるカーテン２０の車幅方向両端部（展開完了状態にあるカーテン２０の両側部にそれぞれ対応する部分）は、上記上辺部における両端部近傍にそれぞれ位置している。そして、カーテン２０は、上記上辺部から下側に展開して、その展開先端部が下辺部に達する（下辺部のバックウインド部側縁を僅かに超える）ようになされている。
【００７０】
上記バックウインド部周辺において上記第１及び第２側辺部の上記上辺部から離間したそれぞれの部位には、支持部材３６，３６がそれぞれ設けられている。これら両支持部材３６，３６は、上記実施形態１のものと同じであって、それぞれ第１及び第２側辺部において、支持部材３６の貫通孔３６ａが上記後側後席シート８のシートバック８ａの上端よりも上側の高さに位置するように設けられている。
【００７１】
尚、上記支持部材３６，３６がそれぞれ設けられる第１及び第２側辺部は、本実施形態のようにカーテン２０がリヤヘッダー５９に収容される場合には、バックドア５１に対して左右両側に位置する車体部分（ピラー）で構成され、カーテン２０がバックドア５１内におけるバックウインド５８の上側部分に収容される場合には、バックドア５１内におけるバックウインド５８の左右両側部分で構成される。上記バックドア５１に対して左右両側に位置する車体部分及びバックドア５１におけるバックウインド５８の左右両側部分の車室側は、上記実施形態１におけるピラートリム５６と同様の材料からなる硬質のトリム部材で覆われている。
【００７２】
上記実施形態１と同様に、カーテン２０の収容状態において、各支持部材３６の貫通孔３６ａには紐状部材３９が挿通されてその略中央部が貫通孔３６ａに係合しており、車両左側の支持部材３６と係合する紐状部材３９の両端部は、展開完了状態にあるカーテン２０の車両左側の側部のカーテン展開方向（上下方向）中間部と展開先端部２０ｃとにそれぞれ結合され、車両右側の支持部材３６と係合する紐状部材３９の両端部は、展開完了状態にあるカーテン２０の車両右側の側部のカーテン展開方向（上下方向）中間部と展開先端部２０ｃとにそれぞれ結合されている。これら両紐状部材３９，３９の基端部ないしカーテン２０の該両基端部結合部位が、それぞれ係合部４４，４４とされている。これにより、カーテン２０が展開したときに、両係合部４４，４４が両支持部材３６，３６の貫通孔３６ａ，３６ａにそれぞれ係合し、このことで、両係合部４４，４４同士を結ぶテンションライン４０が形成される。このテンションライン４０は、本実施形態では、水平に延びるように形成される。
【００７３】
また、上記実施形態１と同様に、展開完了状態にあるカーテン２０の裏面（車両後側の面）に、上記テンションライン４０に沿って２つの第１横断テザー２２，２２が設けられている。この各第１横断テザー２２の一端部は、カーテン２０における各係合部４４ないしその近傍部に結合され、他端部は、カーテン２０における車幅方向略中央部、つまり両側部よりも展開が早い部位（テンションライン４０上）に結合されている。本実施形態では、２つの第１横断テザー２２，２２は、互いに上記実施形態１〜５における第２横断テザーと同様の役割を果たすため、第２横断テザーは設けられていない。尚、２つの第１横断テザー２２，２２は、互いに一体成形したものであってもよく、別体のものであってもよい。また、各第１横断テザー２２の他端部を、カーテン２０における車幅方向略中央部のテンションライン４０よりも展開先端側に結合するようにしてもよい。
【００７４】
上記テンションライン４０及び第１横断テザー２２の高さ位置は、上記後側後席シート８に着座している乗員９が、アメリカ成人男性の平均の体格を有する者として、その乗員９の頭部の重心の高さ位置よりも低くなるようにしている。
【００７５】
本実施形態においても、上記実施形態１と同様に、カーテン２０にテンションライン４０を形成するとともに、テンションライン４０に沿って第１横断テザー２２，２２を設けることで、乗員９の衝突による衝撃力を受け止めて乗員９を確実に保護することができる。
【００７６】
また、上記実施形態１と同様に、カーテン２０の展開初期に、カーテン２０の両側部を、各第１横断テザー２２によって車幅方向中央側でかつ下側へ引っ張ることができ、該両側部の展開遅れを防止することができる。
【００７７】
尚、上記実施形態６では、展開完了状態にあるカーテン２０の両側部を、該カーテン２０の収容状態において、バックウインド部周辺の上辺部（リヤヘッダー５９）における両端部近傍にそれぞれ位置させたが、上記実施形態３と同様に、カーテン２０の第１側辺部側の側部を、第１側辺部に収容される第１側辺部収容部とし、カーテン２０の第２側辺部側の側部を、第２側辺部に収容される第２側辺部収容部としてもよい。
【００７８】
また、上記実施形態６では、展開完了状態にあるカーテン２０の下端部が、バックウインド部の下辺部を覆うようにしたが、カーテン２０が、上辺部から、下辺部よりも上側の位置まで展開するように構成してもよい。この場合、カーテン２０が、上辺部から後側後席シート８のシートバック８ａの上端よりも下側の位置まで展開するように構成することが好ましい。すなわち、後側後席シート８のシートバック８ａの存在により、車両後突時にカーテン２０に衝突するのは乗員９の頭部であり、この頭部の重心位置がテンションライン４０よりも上側にあるので、カーテン２０がバックウインド部の上下方向全体を覆わなくても、乗員９の頭部の衝撃力を良好に受け止めることができるようになる。
【００７９】
さらに、バックウインド部は、１つのバックウインド５８を有するものとしたが、上記実施形態１のように複数あるものであってもよい。
【００８０】
さらにまた、上記実施形態１〜６では、カーテンエアバッグ装置を車両のサイドウインド部及びバックウインド部にそれぞれ設けたが、車両のルーフのウインド部に設けてもよく、車両以外の他の乗り物のウインド部や、家屋、ビル、宇宙ステーション等の建造物のウインド部に設けることも可能である。
【００８１】
また、ウインド部の形状は、略四角形状である必要はなく、略三角形状であってもよい。この場合、第２辺部の第１辺部とは反対側の端部に第３辺部が繋がり、この第３辺部の第２辺部とは反対側の端部に第１辺部が繋がることになる。或いは、その他の多角形状であってもよい。また、ウインド部周辺の各辺部は、直線状や円弧状を含め、どのような形状であってもよい。
【００８２】
さらに、ウインド部におけるウインドの数は１つであっても２以上であってもよい。ウインドの数が２以上である場合、ウインド部としては、それら２以上のウインドを囲む、最も端のウインド縁に略沿った多角形状とすればよい。
【産業上の利用可能性】
【００８３】
本発明は、乗り物や建造物のウインド部を覆うカーテンを備えたカーテンエアバッグ装置に有用であり、特に車両のサイドウインド部やバックウインド部に設ける場合に有用である。
【図面の簡単な説明】
【００８４】
【図１】本発明の実施形態１に係るカーテンエアバッグ装置を示す、車両の車室側から見た図である。
【図２】図１のII−II線断面図である。
【図３】車両の後端部上側部分を拡大して示す、車室側から見た要部拡大図である。
【図４】図３のIV−IV線断面図である。
【図５】図３のＶ−Ｖ線断面図である。
【図６】カーテンの展開完了状態を示す図３相当図である。
【図７】（ａ）は、カーテンの膨張部が膨張する前の状態で第１横断テザーを弛まないように伸ばしたときのカーテンと第１横断テザーとの関係を示す部分断面図であり、（ｂ）は、そのカーテンの展開完了時の状態を示す部分断面図である。
【図８】本発明の実施形態２を示す図１相当図である。
【図９】本発明の実施形態３を示す図６相当図である。
【図１０】本発明の実施形態４を示す要部斜視図である。
【図１１】本発明の実施形態５を示す要部斜視図である。
【図１２】本発明の実施形態６を示す、車両外側（車両後側）から見た図である。
【符号の説明】
【００８５】
１    車体
２〜４    ウインド
１１    第１ピラー（前部ピラー）
１２    第２ピラー（中間ピラー）
１３    第３ピラー（中間ピラー）
１４    第４ピラー（第２辺部）（後部ピラー）
２０    カーテン
２１    インフレータ（ガス供給装置）
２２    第１横断テザー（第１横断連結部材）
２３    第２横断テザー（第２横断連結部材）
３２    ルーフサイドレール（第１辺部）
３６    支持部材（支持部）
３９    紐状部材
４４    係合部
５８    バックウインド
６５ａ  ガイドバー（支持部）
【図１】
2008037242.tif 000003
【図２】
2008037242.tif 000004
【図３】
2008037242.tif 000005
【図４】
2008037242.tif 000006
【図５】
2008037242.tif 000007
【図６】
2008037242.tif 000008
【図７】
2008037242.tif 000009
【図８】
2008037242.tif 000010
【図９】
2008037242.tif 000011
【図１０】
2008037242.tif 000012
【図１１】
2008037242.tif 000013
【図１２】
2008037242.tif 000014